(57)【要約】【課題】顧客の届出印を判別することが可能であり、しかも印鑑を偽造するような不正行為に使用されることを防止し得る印鑑偽造防止方法を提供する。【解決手段】届出印の捺印指定箇所２と照合用の捺印指定箇所３とを有する認証用台紙１の前記届出印の捺印指定箇所２を分割する位置に分割線４を設けた偽造防止認証用台紙の前記届出印の捺印指定箇所２に、顧客の印影を捺印した状態で前記分割線４を境に分割し、前記届出印の捺印指定箇所２のみを有する片側片１ａを顧客の貯金通帳１０に貼付けることによって、該貯金通帳１０に残された印影９ａで該印影に該当する印鑑を判別するようにした。【選択図】図１
2007237487.tif 000002
【特許請求の範囲】
【請求項１】
本人を認証する捺印用台紙又は著名用台紙における捺印指定箇所又は署名指定箇所を分割する分割線を設け、分割した片側片を本人が所持し、残りの片側片を管理先で保管するようにしたことを特徴とする偽造防止認証用台紙。
【請求項２】
届出印の捺印指定箇所と照合用の捺印指定箇所とを有する認証用台紙の前記届出印の捺印指定箇所を分割する分割線を設け、前記照合用の捺印指定箇所を含む分割した片側片を管理先で保管し、残りの片側片を本人が所持するようにしたことを特徴とする偽造防止認証用台紙。
【請求項３】
前記分割線は前記台紙に設けたミシン目であることを特徴とする請求項１又は２記載の偽造防止認証用台紙。
【請求項４】
届出印の捺印指定箇所と照合用の捺印指定箇所とを有する認証用台紙の前記届出印の捺印指定箇所を分割する分割線を設けた偽造防止認証用台紙の前記届出印の捺印指定箇所に、顧客の印影を捺印した状態で前記分割線を境に分割し、前記照合用の捺印指定箇所を含む分割した片側片を管理先で保管し、残りの片側片を顧客の貯金通帳に貼付けることによって、該貯金通帳に残された印影で該印影に該当する印鑑を判別するようにしたことを特徴とする認証用台紙の偽造防止方法。
【発明の詳細な説明】
【技術分野】
【０００１】
本発明は、顧客が貯金通帳等の届出印の印鑑の判別をすることが可能であると共に、印鑑の偽造を防止することができる偽造防止認証用台紙及び認証用台紙の偽造防止方法に関する。
【背景技術】
【０００２】
従来、銀行等の金融機関では、貯金通帳をつくる際、貯金通帳に顧客の届出印を捺印しておき、貯金通帳の印影と顧客の所持する印鑑の印影とを照合することにより、不正を防止するようにしていた。ところが、近年になって、貯金通帳の印影を複写等することによって印鑑を偽造するような不正が頻発するようになってから、このような不正を防止するために、例えば、特許文献１のようなコピー防止用シール等が開発されている。
【０００３】
この特許文献１に掲げるコピー防止シールは、図４に示すように、表示部２０のコピーを不可能にするコピー防止シール２１において、透明または半透明のフィルム２２の裏面に所定の画像２３を有するホログラムまたは半透明の回析格子を設け、かつフィルム２２のホログラムまたは回析格子形成側に透明または半透明の金属薄膜層、接着層を順次設けて成るものである。
【０００４】
このようなコピー防止シールを所定書面の上に付着してコピーすると、ホログラムの画像に対応する部分の記載事項に中抜けの斑部が発生するため、偽造防止に有益となるが、製造コストが高く、その表面に微小の凹凸を有する半透明の紙やフィルムを被覆すると、ホログラムや回析格子の反射が消失するため、綺麗な状態でコピーすることが可能となる。
【０００５】
なお、上記のように印鑑のコピー防止のために開発されたものは他にもあるが、実施上のコストの問題や効果の問題等で実施のメリットが少なく、銀行等においては、貯金通帳に印鑑そのものを押さないことによって、偽造防止を図るようにしているのが現状である。
【特許文献１】特開平６−２５９０１３号公報
【発明の開示】
【発明が解決しようとする課題】
【０００６】
上記のように、近時においては、貯金通帳等に顧客の印影を残さないことによって、印鑑の偽造を防止するようにしているが、これは、偽造防止には万全であるが、顧客にとっては、どの印鑑が届出印なのかが判らないという不都合が生じ、銀行等に対して、顧客から多くのクレームが寄せられているのが現状である。
【０００７】
本発明は、このような事情に鑑みてなされたもので、顧客が自分の届出印を判別することを容易に行うことができ、しかも印鑑を偽造するような不正行為に使用されることを防止することができる偽造防止認証用台紙及び認証用台紙の偽造防止方法を提供することを目的とする。
【課題を解決するための手段】
【０００８】
上記の目的を達成するために、本発明の請求項１に記載された偽造防止認証用台紙は、本人を認証する捺印用台紙又は著名用台紙における捺印指定箇所又は署名指定箇所を分割する分割線を設け、分割した片側片を本人が所持し、残りの片側片を管理先で保管するようにしたことを特徴とする。
【０００９】
また、本発明の請求項２に記載された偽造防止認証用台紙は、届出印の捺印指定箇所と照合用の捺印指定箇所とを有する認証用台紙の前記届出印の捺印指定箇所を分割する分割線を設け、前記照合用の捺印指定箇所を含む分割した片側片を管理先で保管し、残りの片側片を本人が所持するようにしたことを特徴とする。
【００１０】
また、本発明の請求項３に記載された偽造防止認証用台紙は、請求項１又は２において、前記分割線は前記台紙に設けたミシン目であることを特徴とする。
【００１１】
さらに、本発明の請求項４に記載された認証用台紙の偽造防止方法は、届出印の捺印指定箇所と照合用の捺印指定箇所とを有する認証用台紙の前記届出印の捺印指定箇所を分割する分割線を設けた偽造防止認証用台紙の前記届出印の捺印指定箇所に、顧客の印影を捺印した状態で前記分割線を境に分割し、前記照合用の捺印指定箇所を含む分割した片側片を管理先で保管し、残りの片側片を顧客の貯金通帳に貼付けることによって、該貯金通帳に残された印影で該印影に該当する印鑑を判別するようにしたことを特徴とする。
【発明の効果】
【００１２】
本発明の請求項１に記載の偽造防止認証用台紙は、上記のように、本人を認証する捺印用台紙又は著名用台紙を捺印指定箇所又は署名指定箇所で分割する分割線を設け、分割した片側片を本人が所持し、残りの片側片を管理先で保管するようにしているため、捺印による本人認証のみならず、著名による認証にも適用可能である。この場合、捺印又用台紙又は著名用台紙を分割線で分割した片側片を貯金通帳等に貼付ける等によって本人が所持し、残りの片側片を銀行等の管理先が保管すればよい。
【００１３】
ところで、捺印又は著名に関する偽造が行われるのは、本人が所持している署名又は捺印が悪意の他人に露見される場合であるが、本発明によれば、本人が所持しているのは、分割された状態の署名又は捺印であるため、完全な偽造を行うことが不可能であり、これによって偽造を防止することが可能となる。
【００１４】
また、本発明の請求項２に記載の偽造防止認証用台紙は、銀行等の貯金通帳における捺印の認証用台紙に特定したものである。その構成は、届出印の捺印指定箇所と照合用の捺印指定箇所とを有する認証用台紙の前記届出印の捺印指定箇所を分割する分割線を設けたものである。この場合、照合用の捺印指定箇所を含む分割した片側片を管理先で保管し、残りの片側片を本人が所持することとなる。
【００１５】
また、本発明の請求項３の偽造防止認証用台紙のように、分割線をミシン目で形成することにより、この分割線で容易に分割することが可能となる。
【００１６】
さらに、本発明の請求項４に認証用台紙の偽造防止方法として記載しているように、届出印の捺印指定箇所を分割線で分割し、照合用の捺印指定箇所を含む分割した片側片を管理先で保管し、残りの片側片を顧客の貯金通帳に貼付けることによって、該貯金通帳に残された印影で該印影に該当する印鑑を判別することができ、従って、顧客はその印影に該当する印鑑が本人所持のどの印鑑かを容易に判別することが可能となる。
【発明を実施するための最良の形態】
【００１７】
以下、本発明の実施例について図面を参照しながら説明する。
【実施例１】
【００１８】
本発明の実施例として、貯金通帳に設けられた印鑑照合のための認証用台紙について述べる。図１(ａ)に示すように、この認証用台紙１は、届出印の捺印指定箇所２と照合用の捺印指定箇所３とを有する認証用台紙１として構成され、届出印の捺印指定箇所２を分割する分割線４がミシン目等によって形成され、その台紙１の裏側全体に貼替え可能な粘着材（不図示）が塗布されると共に、その粘着材が剥離可能な剥離紙５（図１(ｂ)参照）を貼り付けることによって保護されたものである。
【００１９】
また、この実施例１の認証用台紙１は、例えば銀行又は郵便局等の貯金通帳１０に使用される印鑑のうち、姓（例として「山田」を使用）が縦列に記載されたものである。台紙１の届出印の欄７には、届出印の捺印指定箇所２として円形の点線が表記され、その横の照合の欄８には照合用の捺印指定箇所３として円形の点線が表記されている。また、分割線４（４ａ）は、届出印の捺印指定箇所２である円形の点線を縦方向に中央で分割する位置を通って台紙１の幅全体に設けられ、この縦方向の分割線４（４ａ）によって台紙１は切り離され、印鑑の縦列の文字は夫々左右に分割された状態となる。
【００２０】
このような認証用台紙１の使用方法としては、届出印の捺印指定箇所２に顧客の印影９を図示のように捺印した状態で、分割線４（４ａ）を境にして、台紙１を２片の片側片１ａ、１ｂに分割する。そのうち、届出印の捺印指定箇所２を分割した図示の左側の片側片１ａを顧客の貯通帳１０に貼付けることによって、図１(ｃ)に示すように、貯金通帳１０に残された片側の印影９ａで該印影に該当する本人の印鑑を判別することが可能となる。
【００２１】
また、仮に、悪意の他人が、本人が所持している貯金通帳１０を入手しても、その貯金通帳１０に残されている印影は、上記のように縦列の各文字が左右に分割された片側の印影９ａであるため、完全な偽造を行うことは不可能であり、これによって偽造を防止することが可能となる。
【００２２】
また、図１(ｂ)の右側に図示した残りの台紙１ｂには、届出印の残りの印影９ｂと、照合用の捺印指定箇所３に捺印された完全な印影１１とが印され、これを銀行側の保管台帳に貼り付けることによって、銀行側では完全な印影１１を保管することとなり、本人の印鑑照合の際には、この完全な印影１１で照合することが可能となる。
【実施例２】
【００２３】
この実施例２の認証用台紙１は、例えば銀行又は郵便局等の貯金通帳１０に使用される印鑑のうち、姓（例として「山田」を使用）が横列に記載されたものである。その他の構成は、上記と同様に、台紙１の届出印の欄７に、届出印の捺印指定箇所２として円形の点線が表記され、その横の照合の欄８には照合用の捺印指定箇所３として円形の点線が表記されている。また、この実施例の場合、分割線４（４ｂ）は、届出印の捺印指定箇所２である円形の点線を横方向に中央で分割する位置を通り、この横方向の分割線４（４ｂ）によって台紙１は切り離され、印鑑の横列の文字は夫々上下に分割された状態となる。
【００２４】
ただし、この実施例２の場合、横方向の分割線４（４ｂ）で完全に分割した場合、照合の欄８の印影１１を分割することになるため、分割線４（４ｂ）が照合の欄８の印影１１まで分割しないように、台紙１の届出印の欄７と照合の欄８とを縦方向に分割する補助分割線６をミシン目等によって形成するとよい。これによって、横方向の分割線４ｂと補助分割線６とからなる分割線で切り放した片側片１ａを顧客の貯通帳１０に貼付けることによって、図２(ｃ)に示すように、貯金通帳１０に残された片側の印影９ａで該印影に該当する本人の印鑑を判別することが可能となる。
【００２５】
また、図２(ｂ)の残りの台紙１ｂには、届出印の残りの印影９ｂと、照合用の捺印指定箇所３に捺印された完全な印影１１とが印され、これを銀行側の保管台帳に貼り付けることによって、銀行側では完全な印影１１を保管することとなり、本人の印鑑照合の際には、この完全な印影１１で照合することが可能となる。
【００２６】
なお、図３に示す認証用台紙１は、実施例１と実施例２の構成を組み合わせたものであり、分割線は、届出印の捺印指定箇所２である円形の点線を縦方向に分割する分割線４ａと横方向に分割する分割線４ｂとをクロスするように十文字状に設けたものとなり、捺印した印鑑の文字が横列であるか、縦列であるかによって、いずれか適宜の分割線を選択して使用することが可能となる。
【００２７】
上記の実施例は、貯金通帳の認証用台紙として使用される具体例について述べてあるが、銀行だけではなく、他の金融機関、あるいは金融機関のみならず、本人の認証を印鑑で行う場合に適用可能である。
【００２８】
さらに、本発明は、上記のように印鑑による本人の認証を行う場合のみならず、著名によって本人を認証する場合にも適用可能である。この場合、図示は省略してあるが、著名用台紙を署名箇所で縦方向又は横方向に分割する分割線を設け、分割後の片側片を本人が所持し、残りの片側片を管理先で保管するようにすると、本人が所持した著名の片側部分は、完全な偽造には不十分であるため、偽造防止に有益となる。
【産業上の利用可能性】
【００２９】
本発明の偽造防止認証用台紙及び認証用台紙の偽造防止方法は、顧客が自分の届出印又は著名を判別することを容易に行うことができ、しかも印鑑又は著名を偽造するような不正行為に使用されることを防止することができる偽造防止認証用台紙及び認証用台紙の偽造防止方法として利用することが可能である。
【図面の簡単な説明】
【００３０】
【図１】(ａ)は本発明の実施例１による偽造防止認証用台紙の平面図であり、(ｂ)は分割した状態の偽造防止認証用台紙を示す図であり、(ｃ)は届出印の分割した印影を有する偽造防止認証用台紙を貯金通帳に貼り付けた状態を示す図である。
【図２】（ａ)は本発明の実施例２による偽造防止認証用台紙の平面図であり、(ｂ)は分割した状態の偽造防止認証用台紙を示す図であり、(ｃ)は届出印の分割した印影を有する偽造防止認証用台紙を貯金通帳に貼り付けた状態を示す図である。
【図３】本発明の実施例１と実施例２とを組み合わせた構成による偽造防止認証用台紙の平面図である。
【図４】特許文献１のコピー防止シールに係る平面図である。
【符号の説明】
【００３１】
１  認証用台紙
１ａ、１ｂ  分割した台紙の片側片
２  届出印の捺印指定箇所
３  照合用の捺印指定箇所
４  分割線
４ａ  縦方向の分割線
４ｂ  横方向の分割線
５  剥離紙
６  補助分割線
７  届出印の欄
８  照合の欄
９  印影
９ａ、９ｂ  分割された印影
１０  貯金通帳
１１  完全な印影
【図１】
2007237487.tif 000003
【図２】
2007237487.tif 000004
【図３】
2007237487.tif 000005
【図４】
2007237487.tif 000006
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
本人を認証する捺印用台紙の裏側全体に貼替え可能に塗布された粘着材を介して剥離紙が設けられ、該捺印用台紙に届出印の捺印指定箇所が表記されると共に、該届出印の捺印指定箇所の横に設けられた印鑑照合欄に照合用の捺印指定箇所が表記され、さらに前記届出印の捺印指定箇所を略中央で分割する位置に前記捺印用台紙を分割する分割線が設けられ、前記届出印の捺印指定箇所と前記照合用の捺印指定箇所との両方に顧客の印影を捺印した状態で前記分割線で分割することにより、顧客が所持する片側片として前記分割された一方の届出印の捺印を有する片側の捺印用台紙と、管理先が保管する片側片として前記分割された他方の届出印の捺印と前記照合用に捺印された印影とを有する片側の捺印用台紙とに分割されることを特徴とする偽造防止認証用台紙。
【手続補正３】
【補正対象書類名】明細書
【補正対象項目名】０００１
【補正方法】変更
【補正の内容】
【０００１】
本発明は、顧客が貯金通帳等の届出印の印鑑の判別をすることが可能であると共に、印鑑の偽造を防止することができる偽造防止認証用台紙に関する。
【手続補正４】
【補正対象書類名】明細書
【補正対象項目名】０００７
【補正方法】変更
【補正の内容】
【０００７】
本発明は、このような事情に鑑みてなされたもので、顧客が自分の届出印を判別することを容易に行うことができ、しかも印鑑を偽造するような不正行為に使用されることを防止することができる偽造防止認証用台紙を提供することを目的とする。
【手続補正５】
【補正対象書類名】明細書
【補正対象項目名】０００８
【補正方法】変更
【補正の内容】
【０００８】
上記の目的を達成するために、本発明の請求項１に記載された偽造防止認証用台紙は、本人を認証する捺印用台紙の裏側全体に貼替え可能に塗布された粘着材を介して剥離紙が設けられ、該捺印用台紙に届出印の捺印指定箇所が表記されると共に、該捺印指定箇所の横に設けられた印鑑照合欄に照合用の捺印指定箇所が表記され、さらに前記届出印の捺印指定箇所を略中央で分割する位置に前記捺印用台紙を分割する分割線が設けられ、前記届出印の捺印指定箇所と前記照合用の捺印指定箇所との両方に顧客の印影を捺印した状態で前記分割線で分割することにより、顧客が所持する片側片として前記分割された一方の届出印の捺印を有する片側の捺印用台紙と、管理先が保管する片側片として前記分割された他方の届出印の捺印と前記照合用に捺印された印影とを有する片側の捺印用台紙とに分割されることを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明の偽造防止認証用台紙は、上記のように、本人を認証する捺印用台紙を捺印指定箇所で分割する分割線を設け、分割した片側片を本人が所持し、残りの片側片を管理先で保管するようにしているため、捺印による本人認証に適用可能である。この場合、捺印又用台紙を分割線で分割した片側片を貯金通帳等に貼付ける等によって本人が所持し、残りの片側片を銀行等の管理先が保管すればよい。
【手続補正１０】
【補正対象書類名】明細書
【補正対象項目名】００１４
【補正方法】変更
【補正の内容】
【００１４】
また、本発明の偽造防止認証用台紙は、届出印の捺印指定箇所と照合用の捺印指定箇所とを有する認証用台紙の前記届出印の捺印指定箇所を分割する分割線を設けたものである。この場合、照合用の捺印指定箇所を含む分割した片側片を管理先で保管し、残りの片側片を本人が所持することとなる。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
さらに、本発明の偽造防止認証用台紙は、届出印の捺印指定箇所を分割線で分割し、照合用の捺印指定箇所を含む分割した片側片を管理先で保管し、残りの片側片を顧客の貯金通帳に貼付けることによって、該貯金通帳に残された印影で該印影に該当する印鑑を判別することができ、従って、顧客はその印影に該当する印鑑が本人所持のどの印鑑かを容易に判別することが可能となる。
【手続補正１３】
【補正対象書類名】明細書
【補正対象項目名】００２９
【補正方法】変更
【補正の内容】
【００２９】
本発明の偽造防止認証用台紙は、顧客が自分の届出印又は著名を判別することを容易に行うことができ、しかも印鑑又は著名を偽造するような不正行為に使用されることを防止することができる偽造防止認証用台紙として利用することが可能である。